(57)【要約】      （修正有）【課題】釘や金具等の金属製の固定部材を排除することに加え、必要な強度を確保し、かつ被火葬者の尊厳を低下させる不具合を回避するとともに、棺としての価値の多様性（多機能性）をより高める。【解決手段】上端に開口部２ｕを有する箱状の棺本体部２と、開口部２ｕを覆う開閉式の蓋部３とを備えた棺１を構成するに際して、棺本体部２及び蓋部３の一部又は全部の面部位Ｓ…を、配列した複数の短冊木板Ｐ…と、複数の短冊木板Ｐ…の端部Ｐｓ…（Ｐｔ…）間に跨がる枠木Ｆ…と、棺燃焼時に燃焼可能な、竹素材，木質素材等の天然素材Ｎにより形成するとともに、各短冊木板Ｐ…及び枠木Ｆ…に設けた結合孔Ｖｐ及びＶｆ…間に打ち込むことにより、各短冊木板Ｐ…の端部Ｐｓ…（Ｐｔ…）を枠木Ｆ…に結合する少なくとも一以上の固定ピン４ｘ…，４ｙ…とにより構成した天然面構造部Ｍｎ…を含ませる。【選択図】図４
2018027248.tif 000002
【特許請求の範囲】
【請求項１】
上端に開口部を有する箱状の棺本体部と、前記開口部を覆う開閉式の蓋部とを備えた棺において、前記棺本体部及び前記蓋部の一部又は全部の面部位を、配列した複数の短冊木板と、複数の短冊木板の端部間に跨がる枠木と、棺燃焼時に燃焼可能な、竹素材，木質素材等の天然素材により形成するとともに、前記各短冊木板及び前記枠木に設けた結合孔間に打ち込むことにより、前記各短冊木板の端部を前記枠木に結合する少なくとも一以上の固定ピンとにより構成した天然面構造部を含ませてなることを特徴とする棺。
【請求項２】
前記短冊木板は、間伐材となる檜木素材の無垢材を用いて形成することを特徴とする請求項１記載の棺。
【請求項３】
前記固定ピンは、一端を尖形状に形成し、かつ他端を平坦面に形成するとともに、軸方向に同一径に形成し、かつ外径を、前記短冊木板及び前記枠木に設けた前記結合孔の内径よりも大きく形成した竹素材を用いることを特徴とする請求項１又は２記載の棺。
【請求項４】
前記棺本体部は、内部の底面部上に、天然草を用いた所定の厚さを有する畳を敷いてなることを特徴とする請求項１記載の棺。
【請求項５】
前記蓋部は、前記棺本体部に収容した被火葬者の頭部の上方に位置する部位に窓枠部を有するとともに、この窓枠部に着脱し、かつ和紙を貼付けた小窓部を備えることを特徴とする請求項１記載の棺。
【請求項６】
前記棺本体部は、内壁面に、棚板支持部を付設し、使用前の状態で起立させた際に、前記棚板支持部により別途の棚板を支持することにより、棚としての機能を持たせてなることを特徴とする請求項１記載の棺。
【発明の詳細な説明】
【技術分野】
【０００１】
本発明は、上端に開口部を有する箱状の棺本体部及びこの開口部を覆う開閉式の蓋部とを備えた棺に関する。
【背景技術】
【０００２】
従来、上端に開口部を有する箱状の棺本体部と、この開口部を覆う開閉式の蓋部とを備えた棺は広く知られており、例えば、特許文献１には、人間の死体を収容した棺を焼却炉内に入れて、ガスバーナ等の火炎で燃焼させた際に、人間の死体を完全に燃焼し尽くすことのできるようにすることを目的とし、具体的には、棺本体の上端開口部に被冠する蓋体表面の上部に備えたのぞき窓及び該窓に備えた扉と棺本体の底部とを、木材を用いて形成し、かつ棺の主要部を構成する棺本体の側部と蓋体とは、段ボールを用いて形成し、飾り具及び釘を用いて各部を固定するとともに、棺の軽量化、省資源化を図り、人間の死体を入れた棺を焼却炉内で燃焼させた際に、人間の死体の燃えにくい頭部や内臓等を、木製ののぞき窓及び扉と木製の棺本体の底部とが長時間に亙って発し続ける強力な火炎力、炭火力を用いて、完全に燃焼し尽くすことを可能にした棺が開示されている。
【０００３】
ところで、この種の棺は、少なくとも一部に木材を用いて構成するため、通常、組立てを行う際には、釘や金具等の金属製の固定部材を使用している。しかし、この場合、火葬後には、純粋な焼骨に加え、金属製の固定部材も残留物として混在し、遺族の心情を考慮すれば、決して好ましいものではない。
【０００４】
このため、金属製の固定部材を使用することなく組立てを可能にした棺も提案されており、例えば、特許文献２には、ダンボールや再生紙を利用した環境保護棺桶が開示されている。この環境保護棺桶は、内基板、外基板及び１層或いは１層以上の中間層基板を接着してなり、さらに、折り線部分で両側の辺板を上向きに折って垂直とし、その後、両端側の端板を上向きに折って垂直とし、二つの辺板が凸設の外覆板がそれぞれ端板部分に向けて折り曲げて固定し、これにより棺桶主体を形成するものである。
【先行技術文献】
【特許文献】
【０００５】
【特許文献１】特開平８−２９４５２１号公報
【特許文献２】特開２００３−２１０５３４号公報
【発明の概要】
【発明が解決しようとする課題】
【０００６】
しかし、上述した従来の棺は、次のような問題点があった。
【０００７】
第一に、構成素材をダンボール等に変更し、釘や金具等の金属製の固定部材を使用しない場合、これら金属製の固定部材を排除できる反面、構成素材の変更等に伴うデメリットも無視できない。特に、棺は内部に人体を収容するため、必要な強度を確保するのは容易でなく、構造上の煩雑さ及び組立性の低下を招きやすい。加えて、被火葬者の尊厳を低下させる虞れもあるなど、棺に求められる他の必要な機能を損なう難点もある。
【０００８】
第二に、棺は、火葬に供され、被火葬者をこの世から送り出す宗教的な意味も有している。このため、棺には、デザインや機能の観点から、被火葬者に関連させた付加価値（多様性）を持たせることも重要な要素になるとともに、一方、時代背景から、一般的な葬儀会場で行われる葬儀形式から、家族葬や個人葬など、葬儀自体も個性化及び多様化する傾向がある。しかしながら、従来の棺は、必ずしもこのようなニーズに応えているとは言い難く、棺の多様性及び多機能性を高める観点からは、更なる改善の余地があった。
【０００９】
本発明は、このような背景技術に存在する課題を解決した棺の提供を目的とするものである。
【課題を解決するための手段】
【００１０】
本発明は、上述した課題を解決するため、上端に開口部２ｕを有する箱状の棺本体部２と、開口部２ｕを覆う開閉式の蓋部３とを備えた棺１，１ｓを構成するに際して、棺本体部２及び蓋部３の一部又は全部の面部位Ｓ…を、配列した複数の短冊木板Ｐ…と、複数の短冊木板Ｐ…の端部Ｐｓ…（Ｐｔ…）間に跨がる枠木Ｆ…と、棺燃焼時に燃焼可能な、竹素材，木質素材等の天然素材Ｎにより形成するとともに、各短冊木板Ｐ…及び枠木Ｆ…に設けた結合孔Ｖｐ及びＶｆ…間に打ち込むことにより、各短冊木板Ｐ…の端部Ｐｓ…（Ｐｔ…）を枠木Ｆ…に結合する少なくとも一以上の固定ピン４ｘ…，４ｙ…とにより構成した天然面構造部Ｍｎ…を含ませてなることを特徴とする。
【００１１】
この場合、発明の好適な態様により、短冊木板Ｐ…は、間伐材となる檜木素材Ｎｔの無垢材を用いて形成することができる。また、固定ピン４ｘ，４ｙは、一端４ｘｓ，４ｙｓを尖形状に形成し、かつ他端４ｘｔ，４ｙｔを平坦面に形成するとともに、軸方向Ｄｓに同一径に形成し、かつ外径Ｌｏを、短冊木板Ｐ及び枠木Ｆに設けた結合孔Ｖｐ，Ｖｆの内径Ｌｉよりも大きく形成した竹素材Ｎｂを用いることができる。一方、棺本体部２は、内部の底面部２ｄ上に、天然草Ｎｇを用いた所定の厚さＬｍを有する畳１１を敷いて構成することができる。さらに、蓋部３には、棺本体部２に収容した被火葬者Ｈの頭部Ｈｈの上方に位置する部位Ｘｕには、窓枠部１２を設けることができるとともに、この窓枠部１２に着脱し、かつ和紙１４を貼付けた小窓部１３を設けることができる。なお、棺本体部２には、内壁面２ｗに、棚板支持部１０２…を付設し、使用前の起立させた状態で、棚板支持部１０２…に別途の棚板１０１…を支持させることにより、棚１００としての機能を持たせることができる。
【発明の効果】
【００１２】
このような構成を有する本発明に係る棺１，１ｓによれば、次のような顕著な効果を奏する。
【００１３】
（１）  棺本体部２及び蓋部３の一部又は全部の面部位Ｓ…を、配列した複数の短冊木板Ｐ…と、複数の短冊木板Ｐ…の端部Ｐｓ…（Ｐｔ…）間に跨がる枠木Ｆ…と、棺燃焼時に燃焼可能な、竹素材，木質素材等の天然素材Ｎにより形成するとともに、各短冊木板Ｐ…及び枠木Ｆ…に設けた結合孔Ｖｐ及びＶｆ…間に打ち込むことにより、各短冊木板Ｐ…の端部Ｐｓ…（Ｐｔ…）を枠木Ｆ…に結合する少なくとも一以上の固定ピン４ｘ…，４ｙ…とにより構成した天然面構造部Ｍｎ…を含ませてなるため、釘や金具等の金属製の固定部材を排除できる基本的な作用効果を享受できることに加え、ダンボールや再生紙等の他の構成素材への変更を伴わないため、必要な強度を確保できるとともに、被火葬者Ｈの尊厳を低下させる不具合も回避できる。
【００１４】
（２）  棺本体部２及び蓋部３の一部又は全部の面部位Ｓ…を天然面構造部Ｍｎ…として構成し、金属製の固定部材を排除できるため、全体として自然味及び暖かみのある棺１，１ｓを得ることができるなど、棺１としての価値の多様性（多機能性）をより高めることができる。これにより、家族葬や個人葬など、個性化及び多様化した葬儀における棺１，１ｓとして、その要請に対して柔軟に応えることができる。
【００１５】
（３）  好適な態様により、短冊木板Ｐ…を、間伐材となる檜木素材Ｎｔの無垢材を用いて形成すれば、間伐材の有効利用を図れるとともに、檜木素材Ｎｔの特質、即ち、木肌の美しさや木の香りなどを棺１，１ｓに有効に活かすことができる。
【００１６】
（４）  好適な態様により、固定ピン４ｘ，４ｙに、一端４ｘｓ，４ｙｓを尖形状に形成し、かつ他端４ｘｔ，４ｙｔを平坦面に形成するとともに、軸方向Ｄｓに同一径に形成し、かつ外径Ｌｏを、短冊木板Ｐ及び枠木Ｆに設けた結合孔Ｖｐ，Ｖｆの内径よりも大きく形成した竹素材Ｎｂを用いれば、固定ピン４ｘ，４ｙを、結合孔Ｖｐ，Ｖｆの双方に圧入することができる。したがって、竹素材Ｎｂであっても、比較的小サイズとして形成される短冊木板Ｐと枠木Ｆを確実に結合できるとともに、固定ピン４ｘ，４ｙは、最もシンプルなピン部品として形成できるため、結合孔Ｖｐ，Ｖｆに、固定ピン４ｘ，４ｙを打ち込んだ際にも、固定ピン４ｘ，４ｙの露出部分を目立たなくすることができるなど、外観性を損なう不具合を回避できる。
【００１７】
（５）  好適な態様により、棺本体部２の内部における底面部２ｄ上に、天然草Ｎｇを用いた所定の厚さＬｍを有する畳１１を敷いて構成すれば、被火葬者Ｈを、畳１１の上に寝かせることができるため、いわば、棺１，１ｓの中の狭い空間であっても、和室としての趣を演出できる。
【００１８】
（６）  好適な態様により、蓋部３に、棺本体部２に収容した被火葬者Ｈの頭部Ｈｈの上方に位置する部位Ｘｕに窓枠部１２を設けるとともに、この窓枠部１２に着脱し、かつ和紙１４を貼付けた小窓部１３を設ければ、例えば、小窓部１３に、格子等のデザイン化したフレームを設けることにより、いわば、和室の窓（扉）としての趣を醸し出すことができる。したがって、やすらぎ感等の棺としての付加価値をより高めることができる。
【００１９】
（７）  好適な態様により、棺本体部２の内壁面２ｗに、棚板支持部１０２…を付設し、使用前の起立させた状態で、棚板支持部１０２…に別途の棚板１０１…を支持させることにより、棚１００としての機能を持たせれば、生前に自分用の棺１ｓを準備し、例えば、お気に入りの置物や縫いぐるみ等を飾り、火葬時に一緒に火葬してもらうことができるなど、棺１ｓの多様性及び多機能性を高めることができる。
【図面の簡単な説明】
【００２０】
【図１】本発明の好適実施形態に係る棺の平面図、
【図２】同棺の正面図、
【図３】同棺の一部抽出拡大図を含む断面正面図、
【図４】同棺の一部抽出拡大図を含む蓋部を棺本体部から離脱させた状態を示す側面図、
【図５】同棺における窓枠部及び小窓部を示す断面側面図、
【図６】同棺に用いる固定ピンの外観図と結合孔の断面図（ａ）及び同固定ピンの断面図（ｂ）、
【図７】同棺における天然面構造部の分解部品図、
【図８】同棺における天然面構造部の組立説明図、
【図９】本発明の変更実施形態に係る棺の平面図（ａ）及び側面図（ｂ）、
【図１０】同棺の利用方法の一例を示す使用説明図、
【発明を実施するための形態】
【００２１】
次に、本発明に係る好適実施形態を挙げ、図面に基づき詳細に説明する。
【００２２】
まず、本実施形態に係る棺１の要部となる天然面構造部Ｍｎを含む全体構成について、図１〜図７を参照して説明する。
【００２３】
本実施形態に係る棺１は、基本構成として、図４に示すように、上端に開口部２ｕを有する箱状の棺本体部２と、開口部２ｕを覆う開閉式の蓋部３とを備える。特に、例示する棺１は、全体を屋形舟に象った形状を採用する。
【００２４】
この場合、棺本体部２は、前端部２ｆを、船首に類する尖形状に構成し、かつ後端部２ｒを、平坦状に構成するとともに、左右の側面板部は、上広がりとなるように稍傾斜させている。なお、棺本体部２における開口部２ｕの前端位置と後端位置には、図１に示す三角形状の前閉塞板部２ｃｆと長方形状の後閉塞板部２ｃｒをそれぞれ敷設している。
【００２５】
また、蓋部３の上面上には、図３に示すように、中央から左右方向へ緩やかに傾斜した屋根形部３ｍを設けるとともに、蓋部３の前側には水平な前板部３ｆを設ける。そして、この前板部３ｆの略中央位置に、開口した窓枠部１２を設ける。この窓枠部１２の位置は、図４に示すように、棺本体部２に収容した被火葬者Ｈの頭部Ｈｈの上方に位置する部位Ｘｕとなる。さらに、この窓枠部１２には小窓部１３を装着する。この小窓部１３は、窓枠部１２の内側に嵌合する外フレーム２１と、この外フレーム２１の内側に設けた格子状の内フレーム２２を有し、この内フレーム２２から外フレーム２１の下端面には、和紙１４を貼付けて構成する。これにより、図５に示すように、小窓部１３は、窓枠部１２に対して着脱（開閉）させることができる。
【００２６】
例示の場合、外フレーム２１の形状は八角形としたが、各種の多角形，円形，特定形状等の各種形状を適用できる。また、内フレーム２２の形状は格子状に形成したが、菊花を象るなど、様々な形状を適用できる。このような小窓部１３を設ければ、小窓部１３に、例示のような格子等にデザインしたフレームを設けることにより、いわば、和室の窓（扉）としての趣を醸し出すことができる。したがって、やすらぎ感等の棺としての付加価値をより高めることができる利点がある。
【００２７】
次に、棺１の要部となる天然面構造部Ｍｎについて説明する。棺本体部２及び蓋部３は、それぞれ複数の面部の組合わせにより構成するため、棺本体部２及び蓋部３には、棺本体部２及び蓋部３の一部又は全部の面部位Ｓ…を用いて構成した天然面構造部Ｍｎ…が含まれる。例えば、図４の場合、棺本体部２における本体側面部２ｐｐとこの本体側面部２ｐｐの前側に位置する船首側面部２ｐｆの二つの面部が現れており、この本体側面部２ｐｐと船首側面部２ｐｆのそれぞれ全部の面部位Ｓ…が天然面構造部Ｍｎ，Ｍｎとして構成されている。
【００２８】
この天然面構造部Ｍｎは、基本構成として、配列した複数の短冊木板Ｐ…と、複数の短冊木板Ｐ…の端部Ｐｓ…（Ｐｔ…）間に跨がる枠木Ｆ…と、棺燃焼時に燃焼可能な竹素材Ｎｂ（天然素材Ｎ）により形成するとともに、各短冊木板Ｐ…及び枠木Ｆ…に設けた結合孔Ｖｐ及びＶｆ…間に打ち込むことにより、各短冊木板Ｐ…の端部Ｐｓ…（Ｐｔ…）を枠木Ｆ…に結合する固定ピン４ｘ…，４ｙ…とを備える。
【００２９】
図４に示す本体側面部２ｐｐにおける天然面構造部Ｍｎは、短冊木板Ｐとして、厚さＬｄ（図３参照）を１０〔ｍｍ〕、幅Ｌｗを１００〔ｍｍ〕、長さＬｅ（図４参照）を４００〔ｍｍ〕に選定し、素材としては、間伐材となる檜木素材Ｎｔ、望ましくは、木曽桧の無垢材を用いる。このような短冊木板Ｐを用いれば、間伐材の有効利用を図れるとともに、木曽桧等の檜木素材Ｎｆの特質、即ち、木肌の美しさや木の香りなどを、棺１に有効に活かせる利点がある。
【００３０】
そして、この短冊木板Ｐ…は、必要とする枚数を用意することにより、順次配列させて使用する。例えば、本体側面部２ｐｐを構成する天然面構造部Ｍｎの場合、１８枚の短冊木板Ｐ…を使用し、順次配列させた１８枚の短冊木板Ｐ…における上下を、フレームとして機能する上下一対の枠木Ｆ…により保持する。即ち、下側に配する枠木Ｆは、短冊木板Ｐ…における下側の端部Ｐｓ…間に跨がって当該端部Ｐｓ…を保持するとともに、上側に配する枠木Ｆは、短冊木板Ｐ…における上側の端部Ｐｔ…間に跨がって当該端部Ｐｔ…を保持する。
【００３１】
棺本体部２に用いる枠木Ｆ…は、図３に示すように、断面の基本形状を矩形に形成する。具体的には、図７に示すように、横寸法Ｌｘを２０〔ｍｍ〕、縦寸法Ｌｚを２５〔ｍｍ〕に選定する。長さは使用場所に対応して選定することができ、本体側面部２ｐｐの場合は、長さを１５００〔ｍｍ〕に選定した。素材としては、短冊木板Ｐと同じ素材、即ち、間伐材となる檜木素材Ｎｔ、望ましくは木曽桧の無垢材を用いる。これにより、上述した短冊木板Ｐの場合と同様の効果を得ることができる。
【００３２】
また、本体側面部２ｐｐに用いる下側の枠木Ｆは、図７に示すように、上面に、断面矩形となる凹状の係合溝部２５を長手方向に沿って形成する。これにより、係合溝部２５の中に複数の短冊木板Ｐ…の下側の端部Ｐｓ…を順次収容し、長手方向に沿って配列させることができる。さらに、下側の枠木Ｆにおける内部に面する側面部には、下端位置から水平方向に突出した支持片部２６を長手方向に沿って形成する。これにより、支持片部２６の上面に、複数の短冊木板Ｐ…の一方の端部Ｐｓ…を順次載置し、長手方向に沿って配列させることができる。また、下側の枠木Ｆにおける中間位置の左右方向には、左右に貫通する下側の結合孔Ｖｆを形成するとともに、係合溝部２５を形成する内部側に位置する枠木Ｆの部位には上側の結合孔Ｖｆを形成する。
【００３３】
一方、本体側面部２ｐｐに用いる上側の枠木Ｆは、図３に示すように、下面に、断面矩形となる凹状の係合溝部２７を長手方向に沿って形成する。これにより、係合溝部２７の中に複数の短冊木板Ｐ…の上側の端部Ｐｔ…を順次収容し、長手方向に沿って配列させることができる。また、上側の枠木Ｆの上面から内部側の側面には、断面矩形となる切欠状の段差支持部２８を長手方向に沿って形成する。この段差支持部２８により蓋部３を支持することができる。
【００３４】
固定ピン４ｘ，４ｙは二種類使用する場合を例示する。一つの固定ピン４ｘは、図６に示すように、一端４ｘｓを尖形状に形成し、かつ他端４ｘｔを平坦面に形成するとともに、軸方向Ｄｓに同一径に形成する。固定ピン４ｘの形成素材には竹素材Ｎｂを用いた。固定ピン４ｘの外径Ｌｏは４〔ｍｍ〕に選定した。他方、枠木Ｆに設ける固定ピン４ｘを通す結合孔Ｖｆ及び短冊木板Ｐに設ける固定ピン４ｘを通す結合孔Ｖｐの内径Ｌｉは３．５〔ｍｍ〕に選定した。これにより、固定ピン４ｘの外径Ｌｏは、結合孔Ｖｆ，Ｖｐの内径Ｌｉよりもやや大きくなる。また、他の固定ピン４ｙは、図７に示すように、一端４ｙｓを半球状に形成し、かつ他端４ｙｔを平坦面に形成するとともに、長さを短くする点を除いて上述した固定ピン４ｘと同様に形成できる。
【００３５】
したがって、このような固定ピン４ｘ，４ｙを用いれば、固定ピン４ｘ，４ｙを、結合孔Ｖｐ，Ｖｆの双方に圧入することができる。したがって、竹素材Ｎｂであっても、比較的小サイズとして形成される短冊木板Ｐと枠木Ｆを確実に結合できるとともに、固定ピン４ｘ，４ｙは、最もシンプルなピン部品として形成できるため、結合孔Ｖｐ，Ｖｆに、固定ピン４ｘ，４ｙを打ち込んだ際にも、固定ピン４ｘ，４ｙの露出部分を目立たなくすることができるなど、外観性を損なう不具合を回避できる利点がある。なお、一端４ｙｓを半球状に形成した場合も例示したが、このような半球状も尖形状に含む概念であり、要は、結合孔Ｖｐ，Ｖｆに挿入しやすい形状であれば、いずれも尖形状に含む概念である。
【００３６】
また、棺本体部２の内部における底面部２ｄの上面には、天然草Ｎｇを用いた所定の厚さＬｍを有する畳１１を敷いて構成する。このような畳１１を用いれば、被火葬者Ｈを、畳１１の上に寝かせることができるため、いわば、棺１の中の狭い空間であっても、和室としての趣を演出できる利点がある。
【００３７】
次に、本実施形態に係る棺１の天然面構造部Ｍｎを含む組立方法について、図１〜図７を参照しつつ図８（ａ），（ｂ）に基づき説明する。
【００３８】
一例として、前述した一つの面部Ｓとなる本体側面部２ｐｐ、即ち、本体側面部２ｐｐとなる天然面構造部Ｍｎを組立てる場合について説明する。まず、図８（ａ）に示すように、下側の枠木Ｆの係合溝部２５に、短冊木板Ｐの下側の端部Ｐｓを収容する。この場合、端部Ｐｓ近傍の所定位置には、固定ピン４ｙを圧入するための結合孔Ｖｐを所定角度で形成しておく。そして、固定ピン４ｙの一端４ｙｓを、矢印Ｄ１方向から下側の枠木Ｆの結合孔Ｖｆの開口に当接させ、この固定ピン４ｙをゴムハンマ等の適切な道具を用いて打ち込むことにより、固定ピン４ｙを、結合孔Ｖｆ、更には結合孔Ｖｐに圧入させれば、下側の枠木Ｆと短冊木板Ｐの下側の端部Ｐｓを、固定ピン４ｙを介して結合することができる。このように、固定ピン４ｙを、可能となる限り、枠木Ｆにおける内部に面する側面から打ち込むようにすれば、固定ピン４ｙが外面側に露出するのを回避できる。以下、同様の組立工程を繰り返すことにより、係合溝部２５に対して、短冊木板Ｐ…の端部Ｐｓ…を順次収容し、固定ピン４ｙ…を用いて端部Ｐｓ…と下側の枠木Ｆを結合する。これにより、複数の短冊木板Ｐ…が下側の枠木Ｆの長手方向に沿って配列させることができるとともに、固定ピン４ｙ…を配する間隔は短冊木板Ｐの幅Ｌｗ間隔となる。
【００３９】
次いで、上側の枠木Ｆにおける係合溝部２７に、図３に示すように、短冊木板Ｐにおける上側の端部Ｐｔを収容する。この場合、端部Ｐｔ近傍の所定位置には、固定ピン４ｙを圧入するための結合孔Ｖｐを所定角度で形成しておく。そして、固定ピン４ｙの一端４ｙｓを、上側の枠木Ｆの結合孔Ｖｆの開口に当接させ、この固定ピン４ｙをゴムハンマ等の適切な道具を用いて打ち込むことにより、固定ピン４ｙを、結合孔Ｖｆ、更には結合孔Ｖｐに圧入させる。これにより、上側の枠木Ｆと短冊木板Ｐの上側の端部Ｐｔを、固定ピン４ｙを介して結合することができる。以上の工程により、本体側面部２ｐｐにおける天然面構造部Ｍｎを組立てることができる。
【００４０】
このように、一ケ所の天然面構造部Ｍｎは、基本的に、複数の短冊木板Ｐ…と、この各短冊木板Ｐ…を保持する複数の枠木Ｆ…と、複数の固定ピン４ｘ…，４ｙ…により組立てることができる。したがって、本体側面部２ｐｐの前側に位置する船首側面部２ｐｆも同様に製作することができる。そして、この本体側面部２ｐｐと船首側面部２ｐｆを組合わせることにより、棺本体部２における左右一方の側面板部を構成できる。なお、本体側面部２ｐｐに船首側面部２ｐｆを組付ける方法としては、例えば、本体側面部２ｐｐにおける枠木Ｆと船首側面部２ｐｆにおける枠木Ｆの結合する端部に、嵌合可能な凹部と凸部をそれぞれ一体に形成し、嵌合した凹部と凸部に対して固定ピン４ｘ又は４ｙを打ち込み、同様に結合することができる。以上、棺本体部２における左右一方側の側面板部について、説明したが、他方側の側面板部も、左右対称にして同様に組立てることができ、本体側面部２ｑｐと船首側面部２ｑｆとして構成する。
【００４１】
次に、本体側面部２ｐｐ，２ｑｐ及び船首側面部２ｐｆ，２ｑｆに対して底面部２ｄを組付ける場合について説明する。
【００４２】
なお、例示の底面部２ｄも複数の短冊木板Ｐ…を用いて構成するとともに、使用する短冊木板Ｐ…は、本体側面部２ｐｐ…に用いた短冊木板Ｐ…よりも幅Ｌｗを１０〔ｍｍ〕短くした９０〔ｍｍ〕タイプを用いた。
【００４３】
組付に際しては、まず、左右の所定位置に、本体側面部２ｐｐに船首側面部２ｐｆを組付けたアセンブリと、本体側面部２ｑｐに船首側面部２ｑｆを組付けたアセンブリを、左右対象に対峙させる。次いで、図８（ｂ）に示すように、各支持片部２６…の上面に、底面部２ｄを構成する短冊木板Ｐの一方側の端部Ｐｓと他方側の端部Ｐｔをそれぞれ載置する。この場合、図７に示すように、短冊木板Ｐの両端面には固定ピン４ｘを圧入するための結合孔Ｖｐ…をそれぞれ形成しておく。
【００４４】
そして、固定ピン４ｘの一端４ｘｓを、矢印Ｄ２方向から下側の枠木Ｆの結合孔Ｖｆの開口に当接させ、この固定ピン４ｘをゴムハンマ等の適切な道具を用いて打ち込むことにより、固定ピン４ｘを、結合孔Ｖｆ、更には結合孔Ｖｐに圧入させれば、下側の枠木Ｆと短冊木板Ｐにおける一方側の端部Ｐｓを、固定ピン４ｘを介して結合することができる。同様に短冊木板Ｐにおける他方側の端部Ｐｔも固定ピン４ｘを介して他方側の枠木Ｆに結合する。以下、同様の組付工程を繰り返すことにより、支持片部２６…の上面に、短冊木板Ｐ…の端部Ｐｓ…，Ｐｔ…を順次載置し、固定ピン４ｘ…を用いて端部Ｐｓ…，Ｐｔと下側の枠木Ｆ…を結合する。これにより、複数の短冊木板Ｐ…を下側の枠木Ｆ…の長手方向に沿って配列する底面部２ｄを構成することができる。符号３２は、底面部２ｄの下面に固定した補強板を示す。また、船首側面部２ｐｆの前端と船首側面部２ｑｆの前端は、共通の枠木Ｆを介して結合できる。さらに、棺本体部２の背面部２ｒも、複数の短冊木板Ｐ…と左右の枠木Ｆ，Ｆにより構成できるため、組立てた後、本体側面部２ｐｐと本体側面部２ｑｐの後端に結合する。
【００４５】
ところで、固定ピン４ｘの場合、他端４ｘｔの端面は、枠木Ｆの外面に露出することになるが、他端４ｘｔの端面と枠木Ｆの外面は、同一面上に位置させることができるとともに、固定ピン４ｘの外径Ｌｏは４〔ｍｍ〕であり、外観的にはほとんど目立たない。また、例示の場合、一枚の短冊木板Ｐ当たり片側一本の固定ピン４ｘを用いて結合するようにしたが、固定する対象が小サイズとなる一枚の短冊木板Ｐであるとともに、支持片部２６によっても支持されるため、被焼却者Ｈを支持する十分な強度を確保できる。なお、棺本体部２の開口部２ｕおける前後には、三角形状の前閉塞板部２ｃｆと長方形状の後閉塞板部２ｃｒをそれぞれ固定するが、このような部材は、特に、強度が要求されないため、燃焼可能な接着剤等により固定可能である。
【００４６】
他方、蓋部３も、図３に示すように、基本的には、複数の短冊木板Ｐ…と、複数の枠木Ｆ…と、複数の固定ピン４ｘ…，４ｙ…の組合わせにより組立可能である。この場合、蓋部３には、強度がさほど要求されず、他方、軽量化が要求されるため、使用する短冊木板Ｐの厚さは、棺本体部２に使用する短冊木板Ｐの厚さの１／２となる５〔ｍｍ〕に選定した。なお、符号３１…は、各短冊木板Ｐ…間に跨がって固定した補強板を示す。
【００４７】
このように構成できる蓋部３は、図４に示すように、棺本体部２に対して着脱（開閉）することができ、装着時には、図３に示すように、棺本体部２の上端（開口部２ｕ）に固定した枠木Ｆ…の段差支持部２８…に係合支持される。したがって、本実施形態に係る棺１は、従来より一般的に使用されている棺と同様に使用することができる。
【００４８】
よって、このような本実施形態に係る棺１によれば、基本的な構成として、棺本体部２及び蓋部３の一部又は全部の面部位Ｓ…を、配列した複数の短冊木板Ｐ…と、複数の短冊木板Ｐ…の端部Ｐｓ…（Ｐｔ…）間に跨がる枠木Ｆ…と、棺燃焼時に燃焼可能な、竹素材Ｎｇ（天然素材Ｎ）により形成するとともに、各短冊木板Ｐ…及び枠木Ｆ…に設けた結合孔Ｖｐ及びＶｆ…間に打ち込むことにより、各短冊木板Ｐ…の端部Ｐｓ…（Ｐｔ…）を枠木Ｆ…に結合する少なくとも一以上の固定ピン４ｘ…，４ｙ…とにより構成した天然面構造部Ｍｎ…を含ませてなるため、釘や金具等の金属製の固定部材を排除できる基本的な作用効果を享受できることに加え、ダンボールや再生紙等の他の構成素材への変更を伴わないため、必要な強度を確保できるとともに、被火葬者Ｈの尊厳を低下させる不具合も回避できる。
【００４９】
また、棺本体部２及び蓋部３の一部又は全部の面部位Ｓ…を天然面構造部Ｍｎ…として構成し、金属製の固定部材を排除できるため、全体として自然味及び暖かみのある棺１を得ることができるなど、棺１としての価値の多様性（多機能性）をより高めることができる。これにより、家族葬や個人葬など、個性化及び多様化した葬儀における棺１として、その要請に対して柔軟に応えることができる。
【００５０】
次に、本発明の変更実施形態に係る棺１ｓについて、図９及び図１０を参照して説明する。
【００５１】
図１〜図８に示した実施形態に係る棺１は、全体の形状を屋形舟の形状に似せて構成したものであるが、図９及び図１０に示す変更実施形態に係る棺１ｓは、全体形状を一般的な棺形状である直方体形状に構成したものであり、図９（ａ）は外観平面図を示し、図９（ｂ）は外観側面図を示している。変更実施形態に係る棺１ｓも基本的な構成及び組立は、前述した棺１と同様に実施することができる。このため、図９及び図１０において、図１〜図８と同一部分には同一符号を付してその構成を明確にするとともに、詳細な説明は省略する。
【００５２】
また、変更実施形態に係る棺１ｓは、図１０に示すような使用態様を可能にし、より多機能性を付加している。即ち、棺本体部２の内壁面２ｗに、棚板支持部１０２…を付設し、使用前の起立させた状態で、棚板支持部１０２…に別途の棚板１０１…を支持させることにより、棚１００としての機能を持たせている。このように構成すれば、例えば、生前に自分用の棺１ｓを準備し、例えば、お気に入りの置物や縫いぐるみ等を飾り、火葬時に一緒に火葬してもらうことができる。勿論、汎用的な棚としても利用可能であり、棺１ｓの多様性及び多機能性を高めることができ、様々な葬儀、例えば、家族葬や個人葬などの様々な葬儀形態に柔軟に適用することができる。
【００５３】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５４】
例えば、棺１の全体形状を屋形舟に象った例を挙げたが、被火葬者（故人）Ｈの趣味や思想に関係付けた様々な形状に形成することができる。また、実施形態で示した短冊木板Ｐ…，枠木Ｆ…，固定ピン４ｘ…，４ｙ…の各寸法は例示であり、用途やグレード等に応じて任意の寸法に選択できる。特に、固定ピン４ｘ…，４ｙ…は、二種類のピン形態を挙げたが、他の各種形態での実施を許容できる。一方、短冊木板Ｐは、間伐材となる檜木素材Ｎｔの無垢材を用いて形成することが望ましいが、木板である点を除き、必ずしもこれらの素材条件に限定されるものではない。また、天然面構造部Ｍｎは、全ての面部位Ｓ…に適用してもよいし、一部の面部位Ｓ…に適用してもよい。したがって、例えば、屋根形部３ｍの前端面３ｍｆ等は、短冊木板Ｐ…を用いることなく、一枚の三角形板を用いてもよい。さらに、固定ピン４ｘ…，４ｙ…の素材として竹素材Ｎｂが望ましいが、必ずしも竹素材Ｎｂに限定されるものではなく、木質素材等の他の燃焼可能な天然素材Ｎであってもよい。他方、実施形態では、固定ピン４ｘ…，４ｙ…を短冊木板Ｐ…の片側当たり一本用いた例を挙げたが、二本以上であってもよい。なお、天然草Ｎｇを用いた畳１１を敷いて構成することが望ましいが、必須構成要素となるものではない。
【産業上の利用可能性】
【００５５】
本発明に係る棺は、上端に開口部を有する箱状の棺本体部及びこの開口部を覆う開閉式の蓋部とを備えた各種棺に利用できる。
【符号の説明】
【００５６】
１：棺，１ｓ：棺，２：棺本体部，２ｕ：開口部，２ｄ：底面部，２ｗ：内壁面，３：蓋部，４ｘ…：固定ピン，４ｙ…：固定ピン，４ｘｓ：固定ピンの一端，４ｙｓ：固定ピンの一端，４ｘｔ：固定ピンの他端，４ｙｔ：固定ピンの他端，１１：畳，１２：窓枠部，１３：小窓部，１４：和紙，１００：棚，１０１…：棚板，１０２…：棚板支持部，Ｓ…：面部位，Ｐ…：短冊木板，Ｐｓ…（Ｐｔ…）：短冊木板の端部，Ｆ…：枠木，Ｎ：天然素材，Ｎｔ：檜木素材，Ｎｂ：竹素材，Ｎｇ：天然草，Ｖｐ…：結合孔，Ｖｆ…：結合孔，Ｍｎ…：天然面構造部，Ｄｓ：軸方向，Ｌｏ：外径，Ｌｉ：内径，Ｌｍ：厚さ，Ｈ：被火葬者，Ｈｈ：被火葬者の頭部，Ｘｕ：上方に位置する部位
【図１】
2018027248.tif 000003
【図２】
2018027248.tif 000004
【図３】
2018027248.tif 000005
【図４】
2018027248.tif 000006
【図５】
2018027248.tif 000007
【図６】
2018027248.tif 000008
【図７】
2018027248.tif 000009
【図８】
2018027248.tif 000010
【図９】
2018027248.tif 000011
【図１０】
2018027248.tif 000012